(57)【要約】  【課題】  小型でかつ簡易な構成で、記録ヘッドでのインクの圧力変動を抑えることができるインクジェット記録装置を提供する。  【解決手段】  弁体１２は、常態ではインク流路１４を閉塞する位置にバネ１６により付勢されている。弁体１２のリブ１２ａ、１２ｂ間の空間１７には、閉塞する前の状態の圧力のインクが閉じこめられている。記録ヘッド１３でのインク吐出により、弁収容室１４ａ内の圧力が低下すると、空間１７内のインクの圧力が弁体１２を開放する方向に作用する。したがって、弁体１２が、弁収容室１４ａ内の圧力変動に対して応答性よく動作し、記録ヘッド１３でのインクの圧力変動を抑えてチューブ５ａからインクを供給することができる。また、キャリッジの移動にともなうチューブ５ａからの圧力変動の影響も抑える。  【選択図】        図２
2006306013.tif 000002
【特許請求の範囲】
【請求項１】
インク吐出口からインクを吐出して記録媒体に対して記録を行う記録ヘッドと、インク供給源から供給されるインクを前記記録ヘッドへ供給するインク流路と、そのインク流路において前記記録ヘッドへのインクの供給を制御する弁体とを備え、
前記インク流路は、前記弁体を移動可能に収容する弁収容室を有するとともにその弁収容室内の前記弁体の移動方向の一端の壁面に、前記弁体によって開閉される弁開口を有し、その弁開口をインク供給源に、前記弁収容室を前記記録ヘッドにそれぞれ接続し、
前記弁体は、常態では、前記壁面に当接して前記弁開口を閉塞する位置に付勢されており、その当接状態で、前記壁面との間に、前記弁開口および前記弁収容室から独立した空間を形成し、
前記記録ヘッドからのインク吐出にともなう前記弁収容室の圧力低下によって前記弁体が開放される際、その開放方向に前記空間内の圧力が作用するようにしたことを特徴とするインクジェット記録装置。
【請求項２】
前記弁体が開放された後、再び前記壁面に当接したとき、前記空間には、前記弁収容室内のインクが閉じこめられることを特徴とする請求項１に記載のインクジェット記録装置。
【請求項３】
前記弁体と前記壁面との間の前記空間は、前記弁開口を囲む環状に形成されていることを特徴とする請求項１または２に記載のインクジェット記録装置。
【請求項４】
前記弁体は、前記壁面と当接してシール材を兼ねる、相互に間隔をおいた２つの環状のリブを有し、その２つのリブを前記壁面と当接させたとき、その２つのリブ間に前記空間を形成することを特徴とする請求項３に記載のインクジェット記録装置。
【請求項５】
インク吐出口からインクを吐出して記録媒体に対して記録を行う記録ヘッドと、インク供給源から供給されるインクを前記記録ヘッドへ供給するインク流路と、そのインク流路において前記記録ヘッドへのインクの供給を制御する弁体とを備え、
前記インク流路は、前記弁体を移動可能に収容する弁収容室を有するとともにその弁収容室内の前記弁体の移動方向の一端の壁面に、前記弁体によって開閉される弁開口を有し、その弁開口をインク供給源に、前記弁収容室を前記記録ヘッドにそれぞれ接続し、
前記弁体は、常態では、前記壁面に当接して前記弁開口を閉塞する位置に付勢されており、その当接状態で、前記弁開口から該弁体を開放する方向の圧力が作用する面の面積よりも、前記圧力が作用する面と反対側において前記弁収容室内の圧力が作用する面の面積が大きく設定されていることを特徴とするインクジェット記録装置。
【請求項６】
前記弁体は、前記壁面に対して前記弁開口を囲んで当接する第１の部分と、その第１の部分の内側に囲まれる面積よりも大きい面積を内側に囲んで当接する第２の部分とを少なくとも有することを特徴とする請求項５に記載のインクジェット記録装置。
【請求項７】
前記弁体の前記第１の部分は、第２の部分に囲まれて位置し、その第１の部分と第２の部分との間に、前記当接状態で、前記弁開口および前記弁収容室から独立した空間を形成することを特徴とする請求項６に記載のインクジェット記録装置。
【請求項８】
前記弁体の前記第１の部分と第２の部分との間は、前記当接状態で前記壁面に当接する面であることを特徴とする請求項６に記載のインクジェット記録装置。
【請求項９】
前記記録ヘッドを搭載して往復移動するキャリッジと、そのキャリッジ外に設けられた前記インク供給源から前記記録ヘッドへインクを供給する可撓性のあるインク供給部材とをさらに備え、
前記弁体は、前記キャリッジの移動にともない前記インク供給部材から前記記録ヘッド側へ生じるインクの圧力変動を制限するように前記付勢されていることを特徴とする請求項１から８のいずれかに記載のインクジェット記録装置。
【請求項１０】
前記弁体は、前記キャリッジの移動方向と直交する方向に移動可能であることを特徴とする請求項９に記載のインクジェット記録装置。
【請求項１１】
前記記録ヘッドは、前記インク流路を内部に有する流路筐体に固定されていることを特徴とする請求項１から１０のいずれかに記載のインクジェット記録装置。
【発明の詳細な説明】
【技術分野】
【０００１】
本発明はインクジェット記録装置に関し、特に、記録ヘッドへのインク供給圧力の変動を抑える装置を備えるインクジェット記録装置に関するものである。
【背景技術】
【０００２】
インクジェット記録装置においては、記録ヘッド上にインクタンクを着脱可能に接続したり、キャリッジ外に設けたインクタンクとキャリッジ上の記録ヘッドとを可撓性のインクチューブを介して接続するなどして、記録ヘッドにインクを供給することが行われる。
【０００３】
記録ヘッドからのインク吐出性能を維持するために、記録ヘッドでのインクの圧力は、ほぼ一定に維持する必要がある。
【０００４】
特開昭６２−２３１７５９号公報（特許文献１）には、インクタンクとその下方に配置した記録ヘッドとの間に、弾性体からなる倒立傘型の逆止弁を配置し、記録ヘッドがインクを吐出すると、記録ヘッド側の圧力低下により、逆止弁が開放してインクタンクからインクを補給することが開示されている。
【０００５】
また、チューブ供給方式のインクジェット記録装置では、記録ヘッドを搭載したキャリッジが、ガイドロッドに沿って往復移動しながら記録が行われるので、キャリッジが加減速移動することによってインクチューブ内のインクに慣性力が作用し、記録ヘッドへ供給するインクに圧力変動が生じる。
【０００６】
これを解決するため、キャリッジ上のインク流路の一部に設けたバッファ室の一側を可撓性フィルムで構成したり、バッファ室内に空気を蓄えるなどして、バッファ室の体積を変えることで、圧力変動を吸収することが行われている。また、特開２００４−２６８４４８号公報（特許文献２）には、可動弁の中央に連通孔を設け、常態ではその連通孔がインク流路と一致した位置にあって記録ヘッドへのインクの供給を可能にし、キャリッジの加減速時には、可動弁の慣性により連通孔がインク流路からずれて、インクの供給を制限する技術が提案されている。
【０００７】
【特許文献１】特開昭６２−２３１７５９号公報
【特許文献２】特開２００４−２６８４４８号公報
【発明の開示】
【発明が解決しようとする課題】
【０００８】
特許文献１に開示された構成では、逆止弁のほぼ上面全体でインクタンク内のインクの重量を受け、記録ヘッド側の負圧によって逆止弁が開くので、逆止弁自体が、インクの重量に抗するだけの大きな弾性力を有した材料で製作する必要があり、記録ヘッド側の微細な圧力変動に応答することが困難で、記録ヘッド側でのインクの圧力を一定に維持することが難しい。
【０００９】
また、バッファ室の体積を変えるものでは、圧力変動の吸収効果を大きくするために、可撓性フィルムの面積を大きく取るか、空気体積を一定量以上にする必要があり、装置を小型化する上で問題がある。特許文献２に開示された、可動弁がキャリッジの移動方向に慣性で移動するものでは、キャリッジの往復移動に対応して可動弁も連通孔に対して左右両方向に移動する空間が必要であり、やはり装置を小型化する上で問題がある。
【００１０】
本発明は、上述した問題点を解決するためになされたものであり、小型でかつ簡易な構成で、記録ヘッドでのインクの圧力変動を抑えることができるインクジェット記録装置を提供することを目的とする。
【課題を解決するための手段】
【００１１】
この目的を達成するために請求項１に記載のインクジェット記録装置は、インク吐出口からインクを吐出して記録媒体に対して記録を行う記録ヘッドと、インク供給源から供給されるインクを前記記録ヘッドへ供給するインク流路と、そのインク流路において前記記録ヘッドへのインクの供給を制御する弁体とを備え、前記インク流路は、前記弁体を移動可能に収容する弁収容室を有するとともにその弁収容室内の前記弁体の移動方向の一端の壁面に、前記弁体によって開閉される弁開口を有し、その弁開口をインク供給源に、前記弁収容室を前記記録ヘッドにそれぞれ接続し、前記弁体は、常態では、前記壁面に当接して前記弁開口を閉塞する位置に付勢されており、その当接状態で、前記壁面との間に、前記弁開口および前記弁収容室から独立した空間を形成し、前記記録ヘッドからのインク吐出にともなう前記弁収容室の圧力低下によって前記弁体が開放される際、その開放方向に前記空間内の圧力が作用するようにした。
【００１２】
請求項２に記載のインクジェット記録装置は、請求項１に記載のものにおいて、前記弁体が開放された後、再び前記壁面に当接したとき、前記空間には、前記弁収容室内のインクが閉じこめられる。
【００１３】
請求項３に記載のインクジェット記録装置は、請求項１または２に記載のものにおいて、前記弁体と前記壁面との間の前記空間が、前記弁開口を囲む環状に形成されている。
【００１４】
請求項４に記載のインクジェット記録装置は、請求項３に記載のものにおいて、前記弁体が、前記壁面と当接してシール材を兼ねる、相互に間隔をおいた２つの環状のリブを有し、その２つのリブを前記壁面と当接させたとき、その２つのリブ間に前記空間を形成する。
【００１５】
請求項５に記載のインクジェット記録装置は、インク吐出口からインクを吐出して記録媒体に対して記録を行う記録ヘッドと、インク供給源から供給されるインクを前記記録ヘッドへ供給するインク流路と、そのインク流路において前記記録ヘッドへのインクの供給を制御する弁体とを備え、前記インク流路は、前記弁体を移動可能に収容する弁収容室を有するとともにその弁収容室内の前記弁体の移動方向の一端の壁面に、前記弁体によって開閉される弁開口を有し、その弁開口をインク供給源に、前記弁収容室を前記記録ヘッドにそれぞれ接続し、前記弁体は、常態では、前記壁面に当接して前記弁開口を閉塞する位置に付勢されており、その当接状態で、前記弁開口から該弁体を開放する方向の圧力が作用する面の面積よりも、前記圧力が作用する面と反対側において前記弁収容室内の圧力が作用する面の面積が大きく設定されている。
【００１６】
請求項６に記載のインクジェット記録装置は、請求項５に記載のものにおいて、前記弁体が、前記壁面に対して前記弁開口を囲んで当接する第１の部分と、その第１の部分の内側に囲まれる面積よりも大きい面積を内側に囲んで当接する第２の部分とを少なくとも有する。
【００１７】
請求項７に記載のインクジェット記録装置は、請求項６に記載のものにおいて、前記弁体の前記第１の部分が、第２の部分に囲まれて位置し、その第１の部分と第２の部分との間に、前記当接状態で、前記弁開口および前記弁収容室から独立した空間を形成する。
【００１８】
請求項８に記載のインクジェット記録装置は、請求項６に記載のものにおいて、前記弁体の前記第１の部分と第２の部分との間が、前記当接状態で前記壁面に当接する面である。
【００１９】
請求項９に記載のインクジェット記録装置は、請求項１から８のいずれかに記載のものにおいて、前記記録ヘッドを搭載して往復移動するキャリッジと、そのキャリッジ外に設けられた前記インク供給源から前記記録ヘッドへインクを供給する可撓性のあるインク供給部材とをさらに備え、前記弁体は、前記キャリッジの移動にともない前記インク供給部材から前記記録ヘッド側へ生じるインクの圧力変動を制限するように前記付勢されている。
【００２０】
請求項１０に記載のインクジェット記録装置は、請求項９に記載のものにおいて、前記弁体が、前記キャリッジの移動方向と直交する方向に移動可能である。
【００２１】
請求項１１に記載のインクジェット記録装置は、請求項１から１０のいずれかに記載のものにおいて、前記記録ヘッドが、前記インク流路を内部に有する流路筐体に固定されている。
【発明の効果】
【００２２】
請求項１に記載のインクジェット記録装置は、弁体が、常態では、弁開口を閉塞する位置に付勢されており、記録ヘッドからのインク吐出にともなう弁収容室の圧力低下によって弁体が開放される。このとき、弁体の閉塞位置においてその弁体と弁収容室の壁面との間に、弁開口および弁収容室から独立した空間を形成し、弁体の開放方向に空間内の圧力が作用するので、弁収容室内の圧力変化に対して、弁体の応答性をよくすることができ、記録ヘッドにおける圧力変動を小さくして、インク吐出性能をほぼ均一に維持し、高い品質の記録を行うことができる。
【００２３】
また、弁体の移動範囲は閉塞と開放位置のみであるから小さく、装置を小型に構成することができる。
【００２４】
請求項２に記載のインクジェット記録装置は、請求項１に記載のものが奏する効果に加え、弁体が開放された後、再び壁面に当接したとき、弁体と壁面との間の空間には弁収容室内のインクが閉じこめられるので、インク供給源からのインクが弁収容室内へ流入したインクの圧力がその空間内のほぼ圧力となり、弁収容室内の圧力とその空間内の圧力との差が、弁体の開放を容易にし、弁体の応答性をよくする。
【００２５】
請求項３に記載のインクジェット記録装置は、請求項１または２に記載のものが奏する効果に加え、弁体と壁面との間の空間が、弁開口を囲む環状に形成されているので、空間内の圧力が弁体全体に対して均等に作用し、また、弁開口に対して空間の面積を大きく取ることができ、弁体の動作を円滑かつ容易にすることができる。
【００２６】
請求項４に記載のインクジェット記録装置は、請求項３に記載のものが奏する効果に加え、弁体が、壁面と当接してシール材を兼ねる、相互に間隔をおいた２つの環状のリブを有し、その２つのリブを壁面と当接させたとき、その２つのリブ間に空間を形成するので、簡単な構成で空間を確保することができる。
【００２７】
請求項５に記載のインクジェット記録装置は、弁体が、常態では、弁開口を閉塞する位置に付勢されており、記録ヘッドからのインク吐出にともなう弁収容室の圧力低下によって弁体が開放される。このとき、弁体の閉塞位置において弁開口から弁体を開放する方向の圧力が作用する弁体の面の面積よりも、圧力が作用する面と反対側において前記弁収容室内の圧力が作用する面の面積が大きく設定されているので、弁開口からの圧力と弁収容室の低下した圧力との差により、弁体を応答性よく開放することができ、記録ヘッドにおける圧力変動を小さくして、インク吐出性能をほぼ均一に維持し、高い品質の記録を行うことができる。
【００２８】
請求項６に記載のインクジェット記録装置は、請求項５に記載のものが奏する効果に加え、弁体において、壁面に対して弁開口を囲んで当接する第１の部分と、その第１の部分の内側に囲まれる面積よりも大きい面積を内側に囲んで当接する第２の部分とを少なくとも有するので、弁開口から弁体を開放する方向の圧力が作用する弁体の面の面積よりも、圧力が作用する面と反対側において前記弁収容室内の圧力が作用する面の面積を大きく確保できる。
【００２９】
請求項７に記載のインクジェット記録装置は、請求項６に記載のものが奏する効果に加え、第１の部分と第２の部分との間に、当接状態で、弁開口および弁収容室から独立した空間を形成するので、弁体が開放された後、再び壁面に当接したとき、弁体と壁面との間の空間には弁収容室内のインクが閉じこめられ、インク供給源からのインクが弁収容室内へ流入したインクの圧力がその空間内のほぼ圧力となり、弁収容室内の圧力とその空間内の圧力との差が、弁体の開放を容易にし、弁体の応答性をよくすることができる。
【００３０】
請求項８に記載のインクジェット記録装置は、請求項６に記載のものが奏する効果に加え、第１の部分と第２の部分との間は、当接状態で壁面に当接する面であるので、弁開口から弁体を開放する方向の圧力が作用する弁体の面の面積よりも、圧力が作用する面と反対側において前記弁収容室内の圧力が作用する面の面積を大きく確保できる。
【００３１】
請求項９に記載のインクジェット記録装置は、請求項１から８のいずれかに記載のものが奏する効果に加え、閉塞する位置に付勢されている弁体によって、キャリッジの移動にともないインク供給部材から記録ヘッド側へ生じるインクの圧力変動を制限して、インク吐出性能をほぼ均一に維持し、高い品質の記録を行うことができる。
【００３２】
請求項１０に記載のインクジェット記録装置は、請求項９に記載ものが奏する効果に加え、弁体が、キャリッジの移動方向と直交する方向に移動可能であるので、キャリッジの移動方向にかかわらす、弁体を閉塞位置に付勢し、弁収容室内の圧力をほぼ一定に維持できる。
【００３３】
請求項１１に記載のインクジェット記録装置は、請求項１から１０のいずれかに記載のものが奏する効果に加え、記録ヘッドが、インク流路を内部に有する流路筐体に固定されているので、装置を小型に構成することができる。
【発明を実施するための最良の形態】
【００３４】
以下、本発明の実施の形態を図面したがって説明する。図１に示すように、このインクジェット記録装置１は、略箱状体に形成された記録装置本体２と、その内部に装着された記録ヘッドユニット３と、インク供給源すなわちインクタンク４ａ〜４ｄと、そのインクタンクから記録ヘッドユニット３へインクを供給する可撓性のインク供給部材すなわちインクチューブ５ａ〜５ｄとを備えている。
【００３５】
記録ヘッドユニット３はキャリッジ３ａに搭載され、キャリッジ３ａはガイドロッド７に記録媒体の搬送方向と直交する方向（Ａ）に移動可能に支持されている。キャリッジ３ａは、公知のようにモータ駆動されるベルトによって記録媒体に沿って往復移動される。
【００３６】
インクタンク４は、各記録ヘッドに供給するインクを貯溜しておくためのものであり、キャリッジ３ａの外の静止位置たとえば記録媒体の搬送経路の下方に配設されている。インクタンク４は、キャリッジ３ａの移動方向に、ブラック、イエロー、シアン、マゼンタのインクが収容されている４つのインクタンク４ａ〜４ｄで構成されており、インクチューブ５ａ〜５ｄを介してインクを記録ヘッドユニット３に供給する。
【００３７】
記録ヘッドユニット３は、図２に示すように、内部にインク流路１４を有する流路筐体１１と、その流路筐体１１の記録媒体と対向する下面に前記４色のインクに対応する４個の記録ヘッド１３（１個のみ図示）とを備える。各記録ヘッド１３は、公知の構成と同様に複数の圧力室（図示せず）とそれに対応して下面に開口した複数のインク吐出口（図示せず）を有し、圧電素子、発熱抵抗素子などの圧力発生手段の駆動によりインク吐出口から下向きにインクを吐出する。
【００３８】
インク流路１４は、各記録ヘッド１３に対応して、４つのインク流路が並べて設けられるが、すべて同じ構成であるので、図２に１つのみ示す。インク流路１４は、流路筐体１１内においてキャリッジの移動方向と直交する方向に延びる中心軸線を有する弁収容室１４ａと、その弁収容室の中心軸線方向の一端に弁開口１４ｄを介して連通した導入路１４ｂと、その導入路１４ｂから前記中心軸線方向に離れた位置において弁収容室１４ａに連通する導出路１４ｃとからなる。導出路１４ｃは、記録ヘッド１３内に連通し、その記録ヘッド１３にインクを供給する。
【００３９】
導入路１４ｂは、インクチューブ５ａを介してインクタンク４ａに連通している。各インクチューブ５ａ〜５ｄは、図１に示すように、キャリッジ３ａからそのキャリッジの移動方向に引き出されている。
【００４０】
弁収容室１４ａ内には、弁体１２が、その外周にインクの流通を可能にする隙間を残して前記中心軸線方向に移動可能に収容されている。弁体１２は、弁収容室１４ａ内に収容されたバネ１６により、常時前記中心軸線方向に付勢され、常態では弁収容室１４ａの弁開口１４ｄ側の壁面１４ｅに当接し、その弁開口１４ｄを閉塞している。
【００４１】
記録ヘッド１３からのインク吐出により、弁収容室１４ａ内のインクが消費され、その空間内の圧力が所定値よりも低下すると、図３に示すように、弁体１２はバネ１６の付勢力に抗して移動し、弁開口１４ｄを弁収容室１４ａに対して開口させる。その結果、インクタンク４ａからインクが供給されるとともに、弁収容室１４ａ内の圧力が一定に維持されるようになっている。バネ１６の付勢力は、弁収容室１４ａから記録ヘッド１３に供給されるインクの圧力が、公知のように大気圧よりも低いほぼ一定の負圧（いわゆる背圧）になるように設定されている。
【００４２】
弁体１２は、弁収容室１４ａの弁開口１４ｄ側の壁面１４ｅと対向する面に、同心環状の二重のリブ１２ａ、１２ｂを壁面１４ｅへ向け突出して有している。そのリブは、ゴム状の弾性を有し、バネ１６の付勢力により弁収容室１４ａの壁面１４ｅに当接したときシール材を兼ねる。内側リブ１２ａは、弁開口１４ｄを囲んで弁収容室１４ａの壁面１４ｅに当接し、外側リブ１２ｂは、内側リブ１２ａから半径方向に間隔をおいて弁収容室１４ａの壁面１４ｅに当接し、その当接状態において、内側と外側のリブ１２ａ、１２ｂ間は、弁開口１４ｄおよび弁収容室１４ａから独立して密閉された空間１７を形成する。
【００４３】
したがって、内側のリブ１２ａが壁面１４ｅと当接する位置よりも内側において、弁体１２の開放方向（移動方向）と直交する弁体１２の面の面積Ｂと、壁面１４ｅとは反対側の弁体１２の面であって外側のリブ１２ｂが壁面１４ｅと当接する位置よりも内側に対応する面の面積Ａとは、Ａ＞Ｂの関係にある。つまり、面積Ｂには、弁開口１４ｄから弁体１２を開放する方向にインクの圧力が作用する一方、弁収容室１４ａ内のインクの消費にともないその空間内の圧力が低下すると、面積Ａに、弁収容室１４ａ内側からも弁体１２を開放する方向にインクの圧力が作用する。面積Ａは面積Ｂよりも大きいから、弁体１２は、容易に、つまり弁収容室１４ａ内の圧力変化に対して応答性よくバネ１６の付勢力に抗して開放することになる。
【００４４】
そして、チューブ（インク供給部材）５ａでの圧力変動に対しては、応答を抑制して弁収容室１４ａの圧力変動を抑制することができる。
【００４５】
また、弁収容室１４ａはインクが充填されているので、弁体１２が弁収容室１４ａの壁面１４ｅに当接した状態でも、この両リブ１２ａ、１２ｂ間の空間１７には、インクが充填されている。その両リブ１２ａ、１２ｂ間のインクの圧力は、弁体１２が弁収容室１４ａの壁面１４ｅに当接する直前の、弁収容室１４ａ内の圧力と同等である。つまり、弁開口１４ｄが開放されたとき、チューブ５ａ内のインクの圧力が弁体１２に作用するから、空間１７内のインクの圧力は、ほぼチューブ５ａ内のインクの圧力、すなわちほぼ大気圧となり、弁体１２が弁開口１４ｄを閉塞した後、弁収容室１４ａ内の圧力が、インクの吐出にともない低下するので、空間１７内のインクの圧力は、弁収容室１４ａ内の圧力よりも相対的に高くなる。
【００４６】
したがって、両リブ１２ａ、１２ｂ間に閉じこめられたインクの圧力が弁体１２を開放する方向に作用することになり、また、上記面積Ａ，Ｂの差による圧力も協働して、弁体１２を弁開口１４ｄの閉鎖位置に付勢するバネ１６の付勢力は、（両リブ１２ａ、１２ｂ間にインクを閉じこめないものに比して）小さいものでよく、弁収容室１４ａ内の圧力変化に対して、弁体１２の応答性をよくすることができ、記録ヘッド１３における圧力変動を小さくして、インク吐出性能をほぼ均一に維持することができる。
【００４７】
弁体１２は上記のとおりキャリッジ３の移動方向と直交する方向に移動可能であるので、キャリッジ３の移動方向にかかわらずバネ１６の付勢力により弁収容室１４ａ内に対して弁開口１４ｄを閉塞している。
【００４８】
キャリッジ３が図１において左方向、すなわちチューブ５ａが引き出されている方向に加速されると、そのチューブ５ａ内のインクが慣性によりキャリッジ側に流入し導入路１４ｂ内の圧力を高める。また、キャリッジ３が図１において右方向、すなわちチューブ５ａが引き出されている方向と反対の方向に加速されると、そのチューブ５ａ内のインクが慣性によりキャリッジから離れる方向に流れ、導入路１４ｂ内の圧力を下げる。しかし、いずれの場合も、弁体１２は、バネ１６の付勢力により弁開口１４ｄを閉塞状態に維持し、導入路１４ｂ内の高い圧力あるいは低い圧力が記録ヘッド１３へ影響するのを阻止する。その結果、記録ヘッド内においてインクの圧力が変動することが抑えられてほぼ一定の圧力に保たれ、記録ヘッドのインク吐出性能が維持され、高い品質の記録を行うことができる。
【００４９】
図４は、他の実施の形態を示すものである。この実施の形態の弁体１１２は、前記実施の形態におけるリブ１２ａ、１２ｂ間の空間１７を省略し、平坦な面１１２ｄで壁面１４ｅに当接するようにし、その面の中心に弁開口１４ａと対向する凹部１１２ｃを有している。弁収容室１４ａやバネ１６などの構成は前記実施の形態と同様である。
【００５０】
壁面１４ｅに当接したときの面１１２ｄの内周輪郭部分に囲まれる面積Ｂと、外周輪郭部分に囲まれる面積Ａとは、前記実施の形態と同様にＡ＞Ｂの関係にあり、弁収容室１４ａ内の低下した圧力が広い面積Ａに作用することで、弁体１２が弁収容室１４ａ内の圧力変化に対して応答性よく開放することも、前記実施の形態と同様である。
【００５１】
なお、上記両実施の形態において、常態では弁体１２、１１２が、弁開口１４ｄを完全閉塞する構成としたが、閉塞状態でもわずかの流路を残してインクが大きな流路抵抗でわずか供給できるようにしても差し支えない。また、上記リブ１２ａ、１２ｂ間の空間１７は、弁体１２に形成するのではなく、それと対向する弁収容室１４ａの壁面１４ｅに形成することもできる。
【図面の簡単な説明】
【００５２】
【図１】本発明の実施の形態のインクジェット記録装置の平面図である。
【図２】図１のＩＩ−ＩＩ断面線における記録ヘッドユニットの断面図である。
【図３】図２の動作説明図である。
【図４】他の実施の形態を示す図２相当断面図である。
【符号の説明】
【００５３】
１３              記録ヘッド
１１              流路筐体
５ａ              インクチューブ
１２              弁体
１２ａ            リブ
１２ｂ            リブ
１４              インク流路
１４ａ            弁収容室
１４ｄ            弁開口
１７              空間
【図１】
2006306013.tif 000003
【図２】
2006306013.tif 000004
【図３】
2006306013.tif 000005
【図４】
2006306013.tif 000006